(57)【要約】【課題】本発明は折畳式の伸縮可能な包装箱を開示した。【解決手段】箱体を含み、前記箱体の中にはチャンバが設置されており、前記チャンバの中には上下に対称的に連結ブロックが設置されており、前記連結ブロックには開き溝が設置されており、二つの前記開き溝の中には左右に対称的な側板が回転できるように設置されており、前記連結ブロックの両側には前記チャンバと相通する回転溝が対称的に設置されており、前記側板のもう一端はそれぞれ前記回転溝とが回転できるように連結され、左側の二つの前記側板には係止溝が設置されており、前記係止溝の左側にはロック溝が設置されており、前記チャンバの左端壁の中にはロック装置が設置されている。【選択図】図１
2020169055.tif 000002
【特許請求の範囲】
【請求項１】
箱体を含み、前記箱体の中にはチャンバが設置されており、前記チャンバの中には上下に対称的に連結ブロックが設置されており、前記連結ブロックには開き溝が設置されており、二つの前記開き溝の中には左右に対称的な側板が回転できるように設置されており、前記連結ブロックの両側には前記チャンバと相通する回転溝が対称的に設置されており、前記側板のもう一端はそれぞれ前記回転溝とが回転できるように連結され、左側の二つの前記側板には係止溝が設置されており、前記係止溝の左側にはロック溝が設置されており、前記チャンバの左端壁の中にはロック装置が設置されており、前記ロック装置は前記ロック溝とロックできるように連結され、右側の二つの前記側板には推し溝が設置されており、前記推し溝の中には推し棒がスライドできるように設置されており、前記推し棒の一端面には前記推し棒をリセットする第一リセット部品が固定的に設置されており、前記推し溝の右側には凹溝が相通設置されており、右側の前記回転溝の右端壁の中には固定装置が設置されており、前記固定装置は前記凹溝とロックできるように連結され、前記チャンバの前後側には左右に対称的な回転チャンバが相通して設置されており、前記回転チャンバの中には回転ボードが設置されており、四つの前記回転ボードの中には上下に対称的な固定溝が設置されており、前記チャンバの前後側にはそれぞれ固定ブロックが設置されており、前記固定ブロックの中には空溝が設置されており、前記回転ボードのもう一端は前記空溝と回転できるように連結され、二つの前記固定ブロックにはそれぞれ上下に対称的な定位装置が設置されており、前記定位装置は前記固定溝とロックできるように連結され、前記チャンバの上端壁の中には開きチャンバが設置されており、前記開きチャンバの中には蓋ボードが回転できるように設置されている；前記側板が前記チャンバの内側へ折り込み、前記回転ボードは前記チャンバの外側に折れて前記箱体を収縮することを特徴とする折畳式の伸縮可能な包装箱。
【請求項２】
前記ロック装置は引き溝を含み、前記引き溝の中には引き棒が設置されており、前記引き溝の右側にはスライドチャンバが設置されており、前記スライドチャンバの左端壁には磁石が固定的に設置されており、前記スライドチャンバの中には前記磁石と磁気吸着するスライド棒が設置されており、前記スライド棒の左端面と前記引き棒とが固定的に連結され、前記スライド棒の左端面と前記スライドチャンバとの間には上下に対称的な伸縮撥条が固定的に設置されており、前記スライドチャンバにはスライド溝が上下に相通して設置されており、前記スライド溝と前記回転溝とがそれぞれ相通し、前記スライド溝の中にはスライダがスライドできるように設置されており、前記スライダと前記スライド溝との間には圧撥条が固定的に設置されており、前記スライダの中には抜き溝が設置されており、前記スライド棒の上下端がそれぞれ前記抜き溝の中に伸びている；前記スライダと前記ロック溝とがロックできるように連結され、前記引き棒を左へ引いてロックを解除できることを特徴とする請求項１に記載の折畳式の伸縮可能な包装箱。
【請求項３】
前記固定装置は右側の前記回転溝と相通する推しチャンバを含み、前記推しチャンバの中にはロックブロックがスライドできるように設置されており、前記ロックブロックには前記ロックブロックをリセットする第二リセット部品が固定的に設置されており、前記ロックブロックの中には移動溝が設置されており、前記移動溝の中にはロック棒がスライドできるように設置されており、前記ロック棒には前記ロック棒をリセットする第三リセット部品が固定的に設置されており、前記推しチャンバの右側には回し溝が外部と連通するように設置されており、前記ロック棒の右端が前記回し溝の中に伸びており、且つ前記ロック棒の右端には回し棒が固定的に設置されており、前記回し棒の中には通溝が設置されており、前記通溝の中には係止棒がスライドできるように設置されており、前記係止棒の下端と前記通溝との間には連結撥条が固定的に設置されており、前記回し溝の中には前記係止棒と係止連結される係止口が設置されている；前記ロックブロックが左へ移動して前記凹溝とロックできるように接続されて前記側板の位置を固定する請求項１に記載の折畳式の伸縮可能な包装箱。
【請求項４】
前記定位装置は前記空溝と相通する連結溝を含み、前記連結溝の中には係止ブロックがスライドできるように設置されており、前記係止ブロックの一端と前記連結溝との間には押え撥条が固定的に設置されており、前記連結溝の右側には圧溝が相通して設置されており、前記圧溝の中には圧ブロックがスライドできるように設置されており、前記圧ブロックと前記係止ブロックとの間が歯車によって噛み合って連結され、前記圧ブロックの右端面には前記圧ブロックをリセットする第四リセット部品が固定的に設置されている；前記係止ブロックと前記固定溝とがロックできるように連結されて前記回転ボードの位置を固定する請求項１に記載の折畳式の伸縮可能な包装箱。
【発明の詳細な説明】
【技術分野】
【０００１】
本発明は日常用品の技術分野を取り上げて、具体的には折畳式の伸縮可能な包装箱である。
【背景技術】
【０００２】
現有の包装箱は結構が固定的で、保存運輸する時、底部を開いて側板を折り畳んでから収縮でき、また使用の時、底部を封じてから使用でき、この操作がややこしく、使用には局限性がある。
そのため、現有の技術の包装箱に更に改善する必要あり、それによりその使用効率と便利性を高める。
【先行技術文献】
【特許文献】
【０００３】
【特許文献１】中国特許出願公開第１０２９７５９５９号明細書
【発明の概要】
【発明が解決しようとする課題】
【０００４】
本発明の目的は折畳式の伸縮可能な包装箱を提供し、現有の技術の上記欠点を克服できる。
【課題を解決するための手段】
【０００５】
本発明の実施例における折畳式の伸縮可能な包装箱は、箱体を含み、前記箱体の中にはチャンバが設置されており、前記チャンバの中には上下に対称的に連結ブロックが設置されており、前記連結ブロックには開き溝が設置されており、二つの前記開き溝の中には左右に対称的な側板が回転できるように設置されており、前記連結ブロックの両側には前記チャンバと相通する回転溝が対称的に設置されており、前記側板のもう一端はそれぞれ前記回転溝とが回転できるように連結され、左側の二つの前記側板には係止溝が設置されており、前記係止溝の左側にはロック溝が設置されており、前記チャンバの左端壁の中にはロック装置が設置されており、前記ロック装置は前記ロック溝とロックできるように連結され、右側の二つの前記側板には推し溝が設置されており、前記推し溝の中には推し棒がスライドできるように設置されており、前記推し棒の一端面には前記推し棒をリセットする第一リセット部品が固定的に設置されており、前記推し溝の右側には凹溝が相通設置されており、右側の前記回転溝の右端壁の中には固定装置が設置されており、前記固定装置は前記凹溝とロックできるように連結され、前記チャンバの前後側には左右に対称的な回転チャンバが相通して設置されており、前記回転チャンバの中には回転ボードが設置されており、四つの前記回転ボードの中には上下に対称的な固定溝が設置されており、前記チャンバの前後側にはそれぞれ固定ブロックが設置されており、前記固定ブロックの中には空溝が設置されており、前記回転ボードのもう一端は前記空溝と回転できるように連結され、二つの前記固定ブロックにはそれぞれ上下に対称的な定位装置が設置されており、前記定位装置は前記固定溝とロックできるように連結され、前記チャンバの上端壁の中には開きチャンバが設置されており、前記開きチャンバの中には蓋ボードが回転できるように設置されている；前記側板が前記チャンバの内側へ折り込み、前記回転ボードは前記チャンバの外側に折れて前記箱体を収縮する。
【０００６】
更なる技術方案、前記ロック装置は引き溝を含み、前記引き溝の中には引き棒が設置されており、前記引き溝の右側にはスライドチャンバが設置されており、前記スライドチャンバの左端壁には磁石が固定的に設置されており、前記スライドチャンバの中には前記磁石と磁気吸着するスライド棒が設置されており、前記スライド棒の左端面と前記引き棒とが固定的に連結され、前記スライド棒の左端面と前記スライドチャンバとの間には上下に対称的な伸縮撥条が固定的に設置されており、前記スライドチャンバにはスライド溝が上下に相通して設置されており、前記スライド溝と前記回転溝とがそれぞれ相通し、前記スライド溝の中にはスライダがスライドできるように設置されており、前記スライダと前記スライド溝との間には圧撥条が固定的に設置されており、前記スライダの中には抜き溝が設置されており、前記スライド棒の上下端がそれぞれ前記抜き溝の中に伸びている；前記スライダと前記ロック溝とがロックできるように連結され、前記引き棒を左へ引いてロックを解除できる。
【０００７】
更なる技術方案、前記固定装置は右側の前記回転溝と相通する推しチャンバを含み、前記推しチャンバの中にはロックブロックがスライドできるように設置されており、前記ロックブロックには前記ロックブロックをリセットする第二リセット部品が固定的に設置されており、前記ロックブロックの中には移動溝が設置されており、前記移動溝の中にはロック棒がスライドできるように設置されており、前記ロック棒には前記ロック棒をリセットする第三リセット部品が固定的に設置されており、前記推しチャンバの右側には回し溝が外部と連通するように設置されており、前記ロック棒の右端が前記回し溝の中に伸びており、且つ前記ロック棒の右端には回し棒が固定的に設置されており、前記回し棒の中には通溝が設置されており、前記通溝の中には係止棒がスライドできるように設置されており、前記係止棒の下端と前記通溝との間には連結撥条が固定的に設置されており、前記回し溝の中には前記係止棒と係止連結される係止口が設置されている；前記ロックブロックが左へ移動して前記凹溝とロックできるように接続されて前記側板の位置を固定する。
【０００８】
更なる技術方案、前記定位装置は前記空溝と相通する連結溝を含み、前記連結溝の中には係止ブロックがスライドできるように設置されており、前記係止ブロックの一端と前記連結溝との間には押え撥条が固定的に設置されており、前記連結溝の右側には圧溝が相通して設置されており、前記圧溝の中には圧ブロックがスライドできるように設置されており、前記圧ブロックと前記係止ブロックとの間が歯車によって噛み合って連結され、前記圧ブロックの右端面には前記圧ブロックをリセットする第四リセット部品が固定的に設置されている；前記係止ブロックと前記固定溝とがロックできるように連結されて前記回転ボードの位置を固定する。
【発明の効果】
【０００９】
本発明の有益な効果は下記の通りである：
【００１０】
本発明は結構が簡単で、操作が便利で、側板の内部への納めと回転ボードの外部への納めによって箱体を収縮し、運輸又は保存に便利を与え、それに、箱体を展開して使用する時、側板及び回転ボードがそれぞれロック装置と、固定装置及び定位装置によって位置を固定され、箱体が使用する時結構が安定で圧縮性が強い。
【図面の簡単な説明】
【００１１】
【図１】図１は本発明の折畳式の伸縮可能な包装箱の内部全体構成模式図であり；
【図２】図２は本発明の図１の「Ａ」の拡大構成模式図であり；
【図３】図３は本発明の図１の「Ｂ」の拡大構成模式図であり；
【図４】図４は本発明の図１の「Ｃ−Ｃ」の方向構成模式図であり；
【図５】図５は本発明の図４の「Ｄ−Ｄ」の方向構成模式図であり；
【図６】図６は本発明の図５の「Ｅ」の拡大構成模式図である。
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６を参考して、本発明の実施例における折畳式の伸縮可能な包装箱は、箱体１０を含み、前記箱体１０の中にはチャンバ１１が設置されており、前記チャンバ１１の中には上下に対称的に連結ブロック２５が設置されており、前記連結ブロック２５には開き溝２６が設置されており、二つの前記開き溝２６の中には左右に対称的な側板１３が回転できるように設置されており、前記連結ブロック２５の両側には前記チャンバ１１と相通する回転溝１２が対称的に設置されており、前記側板１３のもう一端はそれぞれ前記回転溝１２とが回転できるように連結され、左側の二つの前記側板１３には係止溝１４が設置されており、前記係止溝１４の左側にはロック溝１５が設置されており、前記チャンバ１１の左端壁の中にはロック装置１００が設置されており、前記ロック装置１００は前記ロック溝１５とロックできるように連結され、右側の二つの前記側板１３には推し溝２８が設置されており、前記推し溝２８の中には推し棒２９がスライドできるように設置されており、前記推し棒２９の一端面には前記推し棒２９をリセットする第一リセット部品３０が固定的に設置されており、前記推し溝２８の右側には凹溝３１が相通設置されており、右側の前記回転溝１２の右端壁の中には固定装置２００が設置されており、前記固定装置２００は前記凹溝３１とロックできるように連結され、前記チャンバ１１の前後側には左右に対称的な回転チャンバ４５が相通して設置されており、前記回転チャンバ４５の中には回転ボード４６が設置されており、四つの前記回転ボード４６の中には上下に対称的な固定溝４９が設置されており、前記チャンバ１１の前後側にはそれぞれ固定ブロック４７が設置されており、前記固定ブロック４７の中には空溝４８が設置されており、前記回転ボード４６のもう一端は前記空溝４８と回転できるように連結され、二つの前記固定ブロック４７にはそれぞれ上下に対称的な定位装置３００が設置されており、前記定位装置３００は前記固定溝４９とロックできるように連結され、前記チャンバ１１の上端壁の中には開きチャンバ５７が設置されており、前記開きチャンバ５７の中には蓋ボード５８が回転できるように設置されている；前記側板１３が前記チャンバ１１の内側へ折り込み、前記回転ボード４６は前記チャンバ１１の外側に折れて前記箱体１０を収縮する。
【００１４】
有益なように、前記ロック装置１００は引き溝２３を含み、前記引き溝２３の中には引き棒２４が設置されており、前記引き溝２３の右側にはスライドチャンバ２０が設置されており、前記スライドチャンバ２０の左端壁には磁石６０が固定的に設置されており、前記スライドチャンバ２０の中には前記磁石６０と磁気吸着するスライド棒２１が設置されており、前記スライド棒２１の左端面と前記引き棒２４とが固定的に連結され、前記スライド棒２１の左端面と前記スライドチャンバ２０との間には上下に対称的な伸縮撥条２２が固定的に設置されており、前記スライドチャンバ２０にはスライド溝１６が上下に相通して設置されており、前記スライド溝１６と前記回転溝１２とがそれぞれ相通し、前記スライド溝１６の中にはスライダ１７がスライドできるように設置されており、前記スライダ１７と前記スライド溝１６との間には圧撥条１８が固定的に設置されており、前記スライダ１７の中には抜き溝１９が設置されており、前記スライド棒２１の上下端がそれぞれ前記抜き溝１９の中に伸びている；前記スライダ１７と前記ロック溝１５とがロックできるように連結され、前記引き棒２４を左へ引いてロックを解除できる。
【００１５】
有益なように、前記固定装置２００は右側の前記回転溝１２と相通する推しチャンバ４０を含み、前記推しチャンバ４０の中にはロックブロック４１がスライドできるように設置されており、前記ロックブロック４１には前記ロックブロック４１をリセットする第二リセット部品４４が固定的に設置されており、前記ロックブロック４１の中には移動溝４２が設置されており、前記移動溝４２の中にはロック棒３９がスライドできるように設置されており、前記ロック棒３９には前記ロック棒３９をリセットする第三リセット部品４３が固定的に設置されており、前記推しチャンバ４０の右側には回し溝３３が外部と連通するように設置されており、前記ロック棒３９の右端が前記回し溝３３の中に伸びており、且つ前記ロック棒３９の右端には回し棒３５が固定的に設置されており、前記回し棒３５の中には通溝３６が設置されており、前記通溝３６の中には係止棒３７がスライドできるように設置されており、前記係止棒３７の下端と前記通溝３６との間には連結撥条３８が固定的に設置されており、前記回し溝３３の中には前記係止棒３７と係止連結される係止口３４が設置されている；前記ロックブロック４１が左へ移動して前記凹溝３１とロックできるように接続されて前記側板１３の位置を固定する。
【００１６】
有益なように、前記定位装置３００は前記空溝４８と相通する連結溝５０を含み、前記連結溝５０の中には係止ブロック５１がスライドできるように設置されており、前記係止ブロック５１の一端と前記連結溝５０との間には押え撥条５２が固定的に設置されており、前記連結溝５０の右側には圧溝５３が相通して設置されており、前記圧溝５３の中には圧ブロック５４がスライドできるように設置されており、前記圧ブロック５４と前記係止ブロック５１との間が歯車５５によって噛み合って連結され、前記圧ブロック５４の右端面には前記圧ブロックをリセットする第四リセット部品５６が固定的に設置されている；前記係止ブロック５１と前記固定溝４９とがロックできるように連結されて前記回転ボード４６の位置を固定する。
【００１７】
初期状態の時、上下側の側板１３の間がそれぞれ当接し、圧撥条１８が圧縮状態であり、二つの固定ブロック４７がそれぞれチャンバ１１の前後位置に位置し、前後側の回転ボード４６の間がそれぞれ当接し、押え撥条５２が圧縮状態であり、第三リセット部品４３の弾性が第二リセット部品４４より大きい。
【００１８】
装置を始動する時、箱体を水平に引き動かし、上下側の側板１３をそれぞれ水平にならせ、スライダ１７が圧撥条１８によって右へ移動してロック溝１５とロックできるように連結され、そして左へ回し棒３５を推し動かし、ロックブロック４１が左へ移動して凹溝３１とロックできるように連結され、ロック棒３９が左へ移動して推し棒２９を推し動かして左へ移動し係止溝１４の中に伸びらせ、それにより上下側の側板１３の水平位置をそれぞれロックし、この時第二リセット部品４４が張る状態であり、第三リセット部品４３が圧縮状態であり、係止棒３７を押して係止口３４とロックできるように連結し、回し棒３５の位置を固定させ、箱体１０を水平に引き動かす過程に、前後の固定ブロック４７が向かい合って移動して回転ボード４６を開いて水平にならせ、係止ブロック５１が押え撥条５２によって下降して固定溝４９とロックできるように連結され、回転ボード４６の位置を固定し、それで、箱体１０の外形が標準の六面体であり、チャンバ１１の容積が広がって荷物を格納し、使用が終わった後、箱体１０を収縮する時、係止棒３７を押えて係止口３４から離脱させ、回し棒３５が第三リセット部品４３と第二リセット部品４４との作用によって右へ移動して初期位置を復帰し、それにより推し棒２９と係止溝１４とが離脱し、引き棒２４を左へ引き動かしてスライド棒２１と磁石６０とを磁気吸着させ、それによりスライド棒２１が左へ移動してスライダ１７をロック溝１５との連結から離れさせるように左へ移動連動させ、左側の側板１３のロックを解除し、その後、押えブロック５４を押え、歯車５５によって係止ブロック５１を外側へ移動させて固定溝４９から離脱させ、回転ボード４６のロックを解除し、それにより箱体１０を内方に圧縮する。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020169055.tif 000003
【図２】
2020169055.tif 000004
【図３】
2020169055.tif 000005
【図４】
2020169055.tif 000006
【図５】
2020169055.tif 000007
【図６】
2020169055.tif 000008
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
箱体を含み、前記箱体の中にはチャンバが設置されており、前記チャンバの中には上下に対称的に連結ブロックが設置されており、前記連結ブロックには開き溝が設置されており、二つの前記開き溝の中には左右に対称的な側板が回転できるように設置されており、前記連結ブロックの両側には前記チャンバと相通する回転溝が対称的に設置されており、前記側板のもう一端はそれぞれ前記回転溝とが回転できるように連結され、左側の二つの前記側板には係止溝が設置されており、前記係止溝の左側にはロック溝が設置されており、前記チャンバの左端壁の中にはロック装置が設置されており、前記ロック装置は前記ロック溝とロックできるように連結され、右側の二つの前記側板には推し溝が設置されており、前記推し溝の中には推し棒がスライドできるように設置されており、前記推し棒には第一リセット部品が固定的に設置されており、前記推し溝の右側には凹溝が相通設置されており、右側の前記回転溝の右端壁の中には固定装置が設置されており、前記固定装置は前記凹溝とロックできるように連結され、前記チャンバの前後側には左右に対称的な回転チャンバが相通して設置されており、前記回転チャンバの中には回転ボードが設置されており、四つの前記回転ボードの中には上下に対称的な固定溝が設置されており、前記チャンバの前後側にはそれぞれ固定ブロックが設置されており、前記固定ブロックの中には空溝が設置されており、前記回転ボードのもう一端は前記空溝と回転できるように連結され、二つの前記固定ブロックにはそれぞれ上下に対称的な定位装置が設置されており、前記定位装置は前記固定溝とロックできるように連結され、前記チャンバの上端壁の中には開きチャンバが設置されており、前記開きチャンバの中には蓋ボードが回転できるように設置されており、
前記側板が前記チャンバの内側へ折り込み、前記回転ボードは前記チャンバの外側に折れて前記箱体を収縮することを特徴とする折畳式の伸縮可能な包装箱。
【請求項２】
前記ロック装置は引き溝を含み、前記引き溝の中には引き棒が設置されており、前記引き溝の右側にはスライドチャンバが設置されており、前記スライドチャンバの左端壁には磁石が固定的に設置されており、前記スライドチャンバの中には前記磁石と磁気吸着するスライド棒が設置されており、前記スライド棒の左端面と前記引き棒とが固定的に連結され、前記スライド棒の左端面と前記スライドチャンバとの間には上下に対称的な伸縮撥条が固定的に設置されており、前記スライドチャンバにはスライド溝が左右に相通して設置されており、前記スライド溝と前記回転溝とがそれぞれ相通し、前記スライド溝の中にはスライダがスライドできるように設置されており、前記スライダと前記スライド溝との間には圧撥条が固定的に設置されており、前記スライダの中には抜き溝が設置されており、前記スライド棒の上下端がそれぞれ前記抜き溝の中に伸びており、
前記スライダと前記ロック溝とがロックできるように連結され、前記引き棒を左へ引いてロックを解除できることを特徴とする請求項１に記載の折畳式の伸縮可能な包装箱。
【請求項３】
前記固定装置は右側の前記回転溝と相通する推しチャンバを含み、前記推しチャンバの中にはロックブロックがスライドできるように設置されており、前記ロックブロックには前記ロックブロックをリセットする第二リセット部品が固定的に設置されており、前記ロックブロックの中には移動溝が設置されており、前記移動溝の中にはロック棒がスライドできるように設置されており、前記ロック棒には前記ロック棒をリセットする第三リセット部品が固定的に設置されており、前記推しチャンバの右側には回し溝が外部と連通するように設置されており、前記ロック棒の右端が前記回し溝の中に伸びており、且つ前記ロック棒の右端には回し棒が固定的に設置されており、前記回し棒の中には通溝が設置されており、前記通溝の中には係止棒がスライドできるように設置されており、前記係止棒の下端と前記通溝との間には連結撥条が固定的に設置されており、前記回し溝の中には前記係止棒と係止連結される係止口が設置されており、
前記ロックブロックが左へ移動して前記凹溝とロックできるように接続されて前記側板の位置を固定する請求項１に記載の折畳式の伸縮可能な包装箱。
【請求項４】
前記定位装置は前記空溝と相通する連結溝を含み、前記連結溝の中には係止ブロックがスライドできるように設置されており、前記係止ブロックの一端と前記連結溝との間には押え撥条が固定的に設置されており、前記連結溝の右側には圧溝が相通して設置されており、前記圧溝の中には圧ブロックがスライドできるように設置されており、前記圧ブロックと前記係止ブロックとの間が歯車によって噛み合って連結され、前記圧ブロックの右端面には第四リセット部品が固定的に設置されており、
前記係止ブロックと前記固定溝とがロックできるように連結されて前記回転ボードの位置を固定する請求項１に記載の折畳式の伸縮可能な包装箱。
【手続補正２】
【補正対象書類名】明細書
【補正対象項目名】全文
【補正方法】変更
【補正の内容】
【発明の詳細な説明】
【技術分野】
【０００１】
本発明は日常用品の技術分野を取り上げて、具体的には折畳式の伸縮可能な包装箱である。
【背景技術】
【０００２】
現有の包装箱は結構が固定的で、保存運輸する時、底部を開いて側板を折り畳んでから収縮でき、また使用の時、底部を封じてから使用でき、この操作がややこしく、使用には局限性がある。
そのため、現有の技術の包装箱に更に改善する必要あり、それによりその使用効率と便利性を高める。
【先行技術文献】
【特許文献】
【０００３】
【特許文献１】中国特許出願公開第１０２９７５９５９号明細書
【発明の概要】
【発明が解決しようとする課題】
【０００４】
本発明の目的は折畳式の伸縮可能な包装箱を提供し、現有の技術の上記欠点を克服できる。
【課題を解決するための手段】
【０００５】
本発明の実施例における折畳式の伸縮可能な包装箱は、箱体を含み、前記箱体の中にはチャンバが設置されており、前記チャンバの中には上下に対称的に連結ブロックが設置されており、前記連結ブロックには開き溝が設置されており、二つの前記開き溝の中には左右に対称的な側板が回転できるように設置されており、前記連結ブロックの両側には前記チャンバと相通する回転溝が対称的に設置されており、前記側板のもう一端はそれぞれ前記回転溝とが回転できるように連結され、左側の二つの前記側板には係止溝が設置されており、前記係止溝の左側にはロック溝が設置されており、前記チャンバの左端壁の中にはロック装置が設置されており、前記ロック装置は前記ロック溝とロックできるように連結され、右側の二つの前記側板には推し溝が設置されており、前記推し溝の中には推し棒がスライドできるように設置されており、前記推し棒には第一リセット部品が固定的に設置されており、前記推し溝の右側には凹溝が相通設置されており、右側の前記回転溝の右端壁の中には固定装置が設置されており、前記固定装置は前記凹溝とロックできるように連結され、前記チャンバの前後側には左右に対称的な回転チャンバが相通して設置されており、前記回転チャンバの中には回転ボードが設置されており、四つの前記回転ボードの中には上下に対称的な固定溝が設置されており、前記チャンバの前後側にはそれぞれ固定ブロックが設置されており、前記固定ブロックの中には空溝が設置されており、前記回転ボードのもう一端は前記空溝と回転できるように連結され、二つの前記固定ブロックにはそれぞれ上下に対称的な定位装置が設置されており、前記定位装置は前記固定溝とロックできるように連結され、前記チャンバの上端壁の中には開きチャンバが設置されており、前記開きチャンバの中には蓋ボードが回転できるように設置されており、
前記側板が前記チャンバの内側へ折り込み、前記回転ボードは前記チャンバの外側に折れて前記箱体を収縮する。
【０００６】
更なる技術方案、前記ロック装置は引き溝を含み、前記引き溝の中には引き棒が設置されており、前記引き溝の右側にはスライドチャンバが設置されており、前記スライドチャンバの左端壁には磁石が固定的に設置されており、前記スライドチャンバの中には前記磁石と磁気吸着するスライド棒が設置されており、前記スライド棒の左端面と前記引き棒とが固定的に連結され、前記スライド棒の左端面と前記スライドチャンバとの間には上下に対称的な伸縮撥条が固定的に設置されており、前記スライドチャンバにはスライド溝が左右に相通して設置されており、前記スライド溝と前記回転溝とがそれぞれ相通し、前記スライド溝の中にはスライダがスライドできるように設置されており、前記スライダと前記スライド溝との間には圧撥条が固定的に設置されており、前記スライダの中には抜き溝が設置されており、前記スライド棒の上下端がそれぞれ前記抜き溝の中に伸びており、
前記スライダと前記ロック溝とがロックできるように連結され、前記引き棒を左へ引いてロックを解除できる。
【０００７】
更なる技術方案、前記固定装置は右側の前記回転溝と相通する推しチャンバを含み、前記推しチャンバの中にはロックブロックがスライドできるように設置されており、前記ロックブロックには前記ロックブロックをリセットする第二リセット部品が固定的に設置されており、前記ロックブロックの中には移動溝が設置されており、前記移動溝の中にはロック棒がスライドできるように設置されており、前記ロック棒には前記ロック棒をリセットする第三リセット部品が固定的に設置されており、前記推しチャンバの右側には回し溝が外部と連通するように設置されており、前記ロック棒の右端が前記回し溝の中に伸びており、且つ前記ロック棒の右端には回し棒が固定的に設置されており、前記回し棒の中には通溝が設置されており、前記通溝の中には係止棒がスライドできるように設置されており、前記係止棒の下端と前記通溝との間には連結撥条が固定的に設置されており、前記回し溝の中には前記係止棒と係止連結される係止口が設置されており、
前記ロックブロックが左へ移動して前記凹溝とロックできるように接続されて前記側板の位置を固定する。
【０００８】
更なる技術方案、前記定位装置は前記空溝と相通する連結溝を含み、前記連結溝の中には係止ブロックがスライドできるように設置されており、前記係止ブロックの一端と前記連結溝との間には押え撥条が固定的に設置されており、前記連結溝の右側には圧溝が相通して設置されており、前記圧溝の中には圧ブロックがスライドできるように設置されており、前記圧ブロックと前記係止ブロックとの間が歯車によって噛み合って連結され、前記圧ブロックの右端面には第四リセット部品が固定的に設置されており、
前記係止ブロックと前記固定溝とがロックできるように連結されて前記回転ボードの位置を固定する。
【発明の効果】
【０００９】
本発明の有益な効果は下記の通りである：
【００１０】
本発明は結構が簡単で、操作が便利で、側板の内部への納めと回転ボードの外部への納めによって箱体を収縮し、運輸又は保存に便利を与え、それに、箱体を展開して使用する時、側板及び回転ボードがそれぞれロック装置と、固定装置及び定位装置によって位置を固定され、箱体が使用する時結構が安定で圧縮性が強い。
【図面の簡単な説明】
【００１１】
【図１】図１は本発明の折畳式の伸縮可能な包装箱の内部全体構成模式図
【図２】図２は本発明の図１の「Ａ」の拡大構成模式図
【図３】図３は本発明の図１の「Ｂ」の拡大構成模式図
【図４】図４は本発明の図１の「Ｃ−Ｃ」の方向構成模式図
【図５】図５は本発明の図４の「Ｄ−Ｄ」の方向構成模式図
【図６】図６は本発明の図５の「Ｅ」の拡大構成模式図
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６を参考して、本発明の実施例における折畳式の伸縮可能な包装箱は、箱体１０を含み、前記箱体１０の中にはチャンバ１１が設置されており、前記チャンバ１１の中には上下に対称的に連結ブロック２５が設置されており、前記連結ブロック２５には開き溝２６が設置されており、二つの前記開き溝２６の中には左右に対称的な側板１３が回転できるように設置されており、前記連結ブロック２５の両側には前記チャンバ１１と相通する回転溝１２が対称的に設置されており、前記側板１３のもう一端はそれぞれ前記回転溝１２とが回転できるように連結され、左側の二つの前記側板１３には係止溝１４が設置されており、前記係止溝１４の左側にはロック溝１５が設置されており、前記チャンバ１１の左端壁の中にはロック装置１００が設置されており、前記ロック装置１００は前記ロック溝１５とロックできるように連結され、右側の二つの前記側板１３には推し溝２８が設置されており、前記推し溝２８の中には推し棒２９がスライドできるように設置されており、前記推し棒２９には第一リセット部品３０が固定的に設置されており、前記推し溝２８の右側には凹溝３１が相通設置されており、右側の前記回転溝１２の右端壁の中には固定装置２００が設置されており、前記固定装置２００は前記凹溝３１とロックできるように連結され、前記チャンバ１１の前後側には左右に対称的な回転チャンバ４５が相通して設置されており、前記回転チャンバ４５の中には回転ボード４６が設置されており、四つの前記回転ボード４６の中には上下に対称的な固定溝４９が設置されており、前記チャンバ１１の前後側にはそれぞれ固定ブロック４７が設置されており、前記固定ブロック４７の中には空溝４８が設置されており、前記回転ボード４６のもう一端は前記空溝４８と回転できるように連結され、二つの前記固定ブロック４７にはそれぞれ上下に対称的な定位装置３００が設置されており、前記定位装置３００は前記固定溝４９とロックできるように連結され、前記チャンバ１１の上端壁の中には開きチャンバ５７が設置されており、前記開きチャンバ５７の中には蓋ボード５８が回転できるように設置されており、
ており、
前記側板１３が前記チャンバ１１の内側へ折り込み、前記回転ボード４６は前記チャンバ１１の外側に折れて前記箱体１０を収縮する。
【００１４】
有益なように、前記ロック装置１００は引き溝２３を含み、前記引き溝２３の中には引き棒２４が設置されており、前記引き溝２３の右側にはスライドチャンバ２０が設置されており、前記スライドチャンバ２０の左端壁には磁石６０が固定的に設置されており、前記スライドチャンバ２０の中には前記磁石６０と磁気吸着するスライド棒２１が設置されており、前記スライド棒２１の左端面と前記引き棒２４とが固定的に連結され、前記スライド棒２１の左端面と前記スライドチャンバ２０との間には上下に対称的な伸縮撥条２２が固定的に設置されており、前記スライドチャンバ２０にはスライド溝１６が左右に相通して設置されており、前記スライド溝１６と前記回転溝１２とがそれぞれ相通し、前記スライド溝１６の中にはスライダ１７がスライドできるように設置されており、前記スライダ１７と前記スライド溝１６との間には圧撥条１８が固定的に設置されており、前記スライダ１７の中には抜き溝１９が設置されており、前記スライド棒２１の上下端がそれぞれ前記抜き溝１９の中に伸びており、
前記スライダ１７と前記ロック溝１５とがロックできるように連結され、前記引き棒２４を左へ引いてロックを解除できる。
【００１５】
有益なように、前記固定装置２００は右側の前記回転溝１２と相通する推しチャンバ４０を含み、前記推しチャンバ４０の中にはロックブロック４１がスライドできるように設置されており、前記ロックブロック４１には前記ロックブロック４１をリセットする第二リセット部品４４が固定的に設置されており、前記ロックブロック４１の中には移動溝４２が設置されており、前記移動溝４２の中にはロック棒３９がスライドできるように設置されており、前記ロック棒３９には前記ロック棒３９をリセットする第三リセット部品４３が固定的に設置されており、前記推しチャンバ４０の右側には回し溝３３が外部と連通するように設置されており、前記ロック棒３９の右端が前記回し溝３３の中に伸びており、且つ前記ロック棒３９の右端には回し棒３５が固定的に設置されており、前記回し棒３５の中には通溝３６が設置されており、前記通溝３６の中には係止棒３７がスライドできるように設置されており、前記係止棒３７の下端と前記通溝３６との間には連結撥条３８が固定的に設置されており、前記回し溝３３の中には前記係止棒３７と係止連結される係止口３４が設置されており、
前記ロックブロック４１が左へ移動して前記凹溝３１とロックできるように接続されて前記側板１３の位置を固定する。
【００１６】
有益なように、前記定位装置３００は前記空溝４８と相通する連結溝５０を含み、前記連結溝５０の中には係止ブロック５１がスライドできるように設置されており、前記係止ブロック５１の一端と前記連結溝５０との間には押え撥条５２が固定的に設置されており、前記連結溝５０の右側には圧溝５３が相通して設置されており、前記圧溝５３の中には圧ブロック５４がスライドできるように設置されており、前記圧ブロック５４と前記係止ブロック５１との間が歯車５５によって噛み合って連結され、前記圧ブロック５４の右端面には第四リセット部品５６が固定的に設置されており、
ており、
前記係止ブロック５１と前記固定溝４９とがロックできるように連結されて前記回転ボード４６の位置を固定する。
【００１７】
初期状態の時、上下側の側板１３の間がそれぞれ当接し、圧撥条１８が圧縮状態であり、二つの固定ブロック４７がそれぞれチャンバ１１の前後位置に位置し、前後側の回転ボード４６の間がそれぞれ当接し、押え撥条５２が圧縮状態であり、第三リセット部品４３の弾性が第二リセット部品４４より大きい。
【００１８】
装置を始動する時、箱体を水平に引き動かし、上下側の側板１３をそれぞれ水平にならせ、スライダ１７が圧撥条１８によって右へ移動してロック溝１５とロックできるように連結され、そして左へ回し棒３５を推し動かし、ロックブロック４１が左へ移動して凹溝３１とロックできるように連結され、ロック棒３９が左へ移動して推し棒２９を推し動かして左へ移動し係止溝１４の中に伸びらせ、それにより上下側の側板１３の水平位置をそれぞれロックし、この時第二リセット部品４４が張る状態であり、第三リセット部品４３が圧縮状態であり、係止棒３７を押して係止口３４とロックできるように連結し、回し棒３５の位置を固定させ、箱体１０を水平に引き動かす過程に、前後の固定ブロック４７が向かい合って移動して回転ボード４６を開いて水平にならせ、係止ブロック５１が押え撥条５２によって下降して固定溝４９とロックできるように連結され、回転ボード４６の位置を固定し、それで、箱体１０の外形が標準の六面体であり、チャンバ１１の容積が広がって荷物を格納し、使用が終わった後、箱体１０を収縮する時、係止棒３７を押えて係止口３４から離脱させ、回し棒３５が第三リセット部品４３と第二リセット部品４４との作用によって右へ移動して初期位置を復帰し、それにより推し棒２９と係止溝１４とが離脱し、引き棒２４を左へ引き動かしてスライド棒２１と磁石６０とを磁気吸着させ、それによりスライド棒２１が左へ移動してスライダ１７をロック溝１５との連結から離れさせるように左へ移動連動させ、左側の側板１３のロックを解除し、その後、押えブロック５４を押え、歯車５５によって係止ブロック５１を外側へ移動させて固定溝４９から離脱させ、回転ボード４６のロックを解除し、それにより箱体１０を内方に圧縮する。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。